(57)【特許請求の範囲】
【請求項１】
熱交換器のケース内に外気を送り込む外部ファンと、
前記熱交換器のケースの底部に設けられ、制御盤内の空気を該熱交換器のケース内に送り込む内部ファン装置と、
前記熱交換器のケース内に収納され、且つ前記外部ファンにより前記ケース内に送り込まれた外気と、前記内部ファン装置により前記制御盤内から前記ケース内に送り込まれた空気とに接触して熱交換を行うフィンと、
を有し、
前記内部ファン装置の下部吸込口に、面状で複数のスリットが穿設されたフィンガーガード、面状で複数のスリットが穿設された第１のフィルター押さえ、面状のフィルター及び面状で複数のスリットが穿設された第２のフィルター押さえを夫々下方から順に所定間隔を保って傾斜させると共に、前記フィンガーガードと前記第１のフィルター押さえとの間隔を両者間に介在される油滴が毛細管現象によって流下し得る所定の間隔に設定して取付け、
前記フィンガーガードと前記第１のフィルター押さえとの間を毛細管現象によって流下し、前記フィンガーガードの片端縁に設けた折曲片に沿って落下する油滴を受ける油受けを設けて構成したことを特徴とした熱交換器。
【請求項２】
前記内部ファン装置の吸込口に取付けられたフィンガーガードとフィルター押さえとの隙間を０．２ｍｍ〜３．０ｍｍにしたことを特徴とした請求項１に記載の熱交換器。
【発明の詳細な説明】
【０００１】
【発明の属する技術分野】
本発明は電子機器の制御盤等に取付けて使用される熱交換器に係り、特に前記制御盤等に潤滑油の微細な粒子等よりなるオイルミストが侵入した場合にも該オイルミストをスムーズに捕集して制御盤外部に排出することを可能とした熱交換器に関するものである。
【０００２】
【従来の技術】
従来、電子機器の制御盤等の天井に種々の構造を有する熱交換器が取付けられて使用されている。これ等の熱交換器は前記制御盤内に侵入して来たオイルミストをファンによって強制対流させるに過ぎないので、オイルミストが制御盤内のフィンガーガードに当たって付着しつつ成長して、ついには油滴となって電子部品の上に落下して短絡事故を起こす等の問題があった。
【０００３】
また、例えば特開平１−１４０９４４号公報に示す熱交換装置のように、熱交換装置の内部に侵入して来たオイルミストを外方に排出し、オイルミストが制御盤内に侵入しないようにした熱交換装置が知られている。
【０００４】
即ち、この熱交換装置の構造は、熱交換装置の内部を傾斜した仕切板で上下に２分割して第１空間と第２空間とを形成すると共に、前記傾斜した仕切板の下方にドレーンを設けた構造である。そして一方の第１空間には制御盤内の空気を流入させ、他方の第２空間には制御装置外の空気を流入させて熱交換し、前記第２空間内に侵入して来たオイルミストを傾斜した仕切板に付着させながら成長した油滴を傾斜を利用して下方のドレーンに流下させて熱交換装置の外部に排出させる作用効果を有している。
【０００５】
【発明が解決しようとする課題】
然るに、前述の熱交換装置に於いては、第２空間内に流入させた制御盤外の空気の中に混入されているオイルミストは、傾斜した仕切板によって捕集して熱交換装置の外方に排出したり、或いはオイルミストが熱交換装置の第１空間或いは制御盤内に侵入することは防止出来るが、制御盤内に存在するオイルミストを捕集して外部に排出することは出来ない問題があった。
【０００６】
本発明に係る熱交換器は、前述の従来の問題点に鑑み開発された全く新しい技術であって、特に制御盤内から熱交換器内に送気される空気内に混入されたオイルミストをスムーズに捕集して外部に排出することが出来るようにした全く新しい熱交換器の技術を提供するものである。
【０００７】
【課題を解決するための手段】
本発明に係る熱交換器は前述の従来の多くの問題点を根本的に改善した技術であって、その第１発明の要旨は、熱交換器のケース内に外気を送り込む外部ファンと、前記熱交換器のケースの底部に設けられ、制御盤内の空気を該熱交換器のケース内に送り込む内部ファン装置と、前記熱交換器のケース内に収納され、且つ前記外部ファンにより前記ケース内に送り込まれた外気と、前記内部ファン装置により前記制御盤内から前記ケース内に送り込まれた空気とに接触して熱交換を行うフィンとを有し、前記内部ファン装置の下部吸込口に、面状で複数のスリットが穿設されたフィンガーガード、面状で複数のスリットが穿設された第１のフィルター押さえ、面状のフィルター及び面状で複数のスリットが穿設された第２のフィルター押さえを夫々下方から順に所定間隔を保って傾斜させると共に、前記フィンガーガードと前記第１のフィルター押さえとの間隔を両者間に介在される油滴が毛細管現象によって流下し得る所定の間隔に設定して取付け、前記フィンガーガードと前記第１のフィルター押さえとの間を毛細管現象によって流下し、前記フィンガーガードの片端縁に設けた折曲片に沿って落下する油滴を受ける油受けを設けて構成したことを特徴とした熱交換器である。
【０００８】
前述の第１発明の熱交換器は、フィンを収納した外ケースの底部に内部ファン装置を設けると共に、該内部ファン装置の下部吸込口にフィンガーガード、フィルター押さえ、フィルター及びフィルター押さえを夫々下方から順に所定間隔を保って傾斜させて取付けたので、内部ファン装置によって熱交換器内に吸気される制御盤内の空気にオイルミストが混入されている場合には、内部ファン装置の下部吸込口に設けられたフィンガーガードとフィルター押さえとによってオイルミストを捕集することが出来る。
【０００９】
かつ、これ等のフィンガーガードとフィルター押さえとで捕集したオイルミストは除々に油滴として成長させて、これ等のフィンガーガードとフィルター押さえとの傾斜面を利用しながら所定位置に流下させることが出来る。
【００１０】
また、フィンガーガードの片端縁に設けた折曲片に沿って落下する油滴を受ける油受けを設けて構成したので、前述のようにフィンガーガードとフィルター押さえとで捕集したオイルミストの油滴を油受けで集めると共に、油受けで集めた油を油排出具を介して内部ファン装置の外部に排出することが出来る。
【００１２】
本発明に係る熱交換器の第２発明の要旨は、前記内部ファン装置の吸込口に取付けられたフィンガーガードとフィルター押さえとの隙間を０．２ｍｍ〜３．０ｍｍにしたことを特徴とした第１発明の熱交換器である。
【００１３】
前述の第２発明の熱交換器は、前記内部ファン装置の吸込口に所定範囲の間隔を保ってフィンガーガードとフィルター押さえとを並列したので、これ等のフィンガーガードとフィルター押さえとに付着したオイルミストを毛細管現象で捕集しながら傾斜面に沿ってスムーズに流下させることが出来る。
【００１４】
【発明の実施の形態】
図により本発明に係る熱交換器の一実施例を具体的に説明すると、図１（Ａ），（Ｂ）は本発明に係る熱交換器の斜視図及び正面或いは側面図、図２は本発明の熱交換器の構成部品を示す斜視説明図、図３（Ａ），（Ｂ）は図１の内部ファン装置の構成を示す斜視説明図或いは要部の断面図、図４は内部ファン装置内で毛細管現象が生ずる状態を示す簡略拡大説明図である。
【００１５】
図１乃至図４に於いて、１は熱交換器であって、その外側はケース２と伝達基板３とよりなる外ケースによって被われている。この熱交換器１の内部にはコルゲートフィン４が収納されている。このコルゲートフィン４はアルミニウム薄板を連続的にジグザグ折りしたものであり、そのピッチは５ｍｍ間隔で設けられている。該コルゲートフィン４の両側端にはシール金具５が取付けられ、コルゲートフィン４の内側と外側とが完全にシールされている。
【００１６】
前記熱交換器１の底部の一部には内部ファン装置６が取付けられている。また熱交換器１の片側部には外部ファン７が取付られている。内部ファン装置６は制御盤内の空気を熱交換器１に送り込む装置であり、外部ファン７は外気を熱交換器１に送り込む装置である。
【００１７】
前記内部ファン装置６は、特に図２及び図３R>３（Ａ），（Ｂ）に示す如く、外ケース８内の上部にファン９が設けられ、かつ外ケース８内の下部の吸込口にはフィンガーガード１０、フィルター押さえ１１、フィルター１２及びフィルター押さえ１３が夫々下方から順に所定の間隔を保って設けられている。従って、内部ファン装置６のファン９を回動して制御盤内の空気を熱交換器１内に送り込む場合には、該空気が内部ファン装置６の吸込口に設けられたフィンガーガード１０等を通過するように構成されている。
【００１８】
前記フィンガーガード１０、フィルター押さえ１１，１３には夫々相互に平行でかつ同一ピッチの多数のスリット１４が穿設されている。また、フィンガーガード１０の片端縁には下方に折曲片１０ａが設けられている。これ等のフィンガーガード１０、フィルター押さえ１１、フィルター１２及びフィルター押さえ１３はビス１５によって相互に連結されると共に、これ等の間にはスぺーサー１６が介在されて所定の間隔を保っている。
【００１９】
前記フィンガーガード１０とフィルター押さえ１１との間隔は特に図４に示す如く両者間に介在される液体１７が毛細管現象によって早く下方向に流下し易くするために、予め所定の寸法に設定されている。本発明者等が試験した場合には、その寸法は０．２ｍｍ〜３．０ｍｍが有効であった。
【００２０】
１８は油受け樋であって、前記フィンガーガード１０の片端縁に設けた折曲片１０ａに沿って落下する油滴を受けることが出来、かつこの油受け樋１８の油排出孔１８ａ内に嵌入係止されたドレンホース１９によって油を外部に排出することが出来るように構成されている。
【００２１】
２０は前記内部ファン装置６を熱交換器１の下底面に取付けることが出来る取付金具であって、その下面２０ａには穴２１が穿設されると共に、その下面２０ａは傾斜している。従ってこの取付金具２０を介して内部ファン装置６を熱交換器１の下底面に取付けた場合には、内部ファン装置６を図４に示す如く、全体的に傾斜させることが出来るように構成されている。
【００２２】
本発明に係る熱交換器は、前述のように熱交換器１の下底面に内部ファン装置６を取付け、この内部ファン装置６によって制御盤の空気を熱交換器１内に送るようにしたので、制御盤から熱交換器１内に送る空気は全て内部ファン装置６を通過させることが出来る。
【００２３】
そして、内部ファン装置６の下部の吸込口には、多数のスリット１４を有するフィンガーガード１０とフィルター押さえ１１とを所定間隔を保って上下方向に並列したので、これ等の間を通過する空気内に混入されたオイルミストをフィンガーガード１０とフィルター押さえ１１との表面に付着させて捕集することが出来る。
【００２４】
これ等のフィンガーガード１０とフィルター押さえ１１とによって捕集されたオイルミストは、毛細管現象によってフィンガーガード１０とフィルター押さえ１１との間を下方向に除々に流下し、折曲片１０ａを伝って油受け樋１８内に落下し、ドレンホース１９によって外部に排出される。
【００２５】
従って、本発明に係る熱交換器１を使用することによって、制御盤内に侵入したオイルミストを内部ファン装置６によって極めて効果的に捕集することが出来、かつ捕集した油を外部に排出することが出来、熱交換器１内にオイルミストが侵入することを防止出来る。
【００２６】
【発明の効果】
本発明に係る熱交換器は前述の構造と作用とを有するので、次のような多大な効果を有している。
【００２７】
内部ファン装置の吸込口にフィンガーガードとフィルター押さえとを所定の間隔を保って上下方向に並列し、かつ内部ファン装置を熱交換器の下底部に取付けたので、制御盤内から内部ファン装置を通過して熱交換器に送られる空気内のオイルミストを前記フィンガーガードとフィルター押さえとによって捕集することが出来る。
【００２８】
また、フィンガーガードとフィルター押さえとは夫々傾斜されて設けられているので、これ等によって捕集されたオイルミストを除々に下方向に流すことが出来る。特に、フィンガーガードとフィルター押さえとを所定間隔を保って並列した場合には、フィンガーガードとフィルター押さえとによって毛細管現象を起こさせて捕集したオイルミストよりなる液体を極めてスムーズに流下せしめることが出来る。
【００２９】
更に、内部ファン装置の最下部にドレンホース等の油排出具を取付けることが出来る油受け樋等の油受けを設けた場合には、前述のフィンガーガードとフィルター押さえとによって捕集した油を油受けに集めると共に、油受けに集めた油を油排出具を介して熱交換器の外部に排出することが出来る。
【図面の簡単な説明】
【図１】  図１（Ａ），（Ｂ）は本発明に係る熱交換器の斜視図及び正面或いは側面図である。
【図２】  本発明の熱交換器の構成部品を示す斜視説明図である。
【図３】  図３（Ａ），（Ｂ）は図１の内部ファン装置の構成を示す斜視説明図或いは要部の断面図である。
【図４】  内部ファン装置で毛細管現象が生ずる状態を示す簡略拡大説明図である。
【符号の説明】
１…熱交換器
２…ケース
３…伝達基板
４…コルゲートフィン
５…シール金具
６…内部ファン装置
７…外部ファン
８…外ケース
９…ファン
10…フィンガーガード
11，13…フィルター押さえ
12…フィルター
14…スリット
15…ビス
16…スぺーサー
17…液体
18…油受け樋
19…ドレンホース
20…取付金具
20ａ…取付金具の下面
21…穴
【図１】
0003749384.tif 000002
【図２】
0003749384.tif 000003
【図３】
0003749384.tif 000004
【図４】
0003749384.tif 000005